(57)【要約】【課題】近接空調と一般空調とを同時に行うことができ、かつ汎用性に優れる空調機能付コンソール装置を提供すること。【解決手段】  内部空間２９を有し車両の座席の側方に配置される筐体２と、前記筐体２に組付けられて前記内部空間２９に配置される筒状のダクト３と、を有し、  前記筐体２は、前記座席に向けて開口する第１吹出口２１と、前記座席よりも後方に向けて開口する第２吹出口２２と、を有し、  前記ダクト３は、車両用空調装置９７に連絡して空調空気の流入端部となる流入流路部３０と、前記流入流路部３０に連絡する分配流路部４０とを有し、  前記分配流路部４０は、前記第１吹出口２１に連絡する第１流路部４１と、前記第２吹出口２２に連絡する第２流路部４２と、の二つの独立した流路に分岐する、空調機能付コンソール装置。【選択図】図５
2020200007.tif 000002
【特許請求の範囲】
【請求項１】
内部空間を有し車両の座席の側方に配置される筐体と、前記筐体に組付けられて前記内部空間に配置される筒状のダクトと、を有し、
前記筐体は、前記座席に向けて開口する第１吹出口と、前記座席よりも後方に向けて開口する第２吹出口と、を有し、
前記ダクトは、車両用空調装置に連絡して空調空気の流入端部となる流入流路部と、前記流入流路部に連絡する分配流路部とを有し、
前記分配流路部は、前記第１吹出口に連絡する第１流路部と、前記第２吹出口に連絡する第２流路部と、の二つの独立した流路に分岐する、空調機能付コンソール装置。
【請求項２】
前記第２流路部のうち前記第１流路部との境界となる第２分岐端部の流路断面積は、前記第１流路部のうち前記第２流路部との境界となる第１分岐端部の流路断面積の２倍以上である、請求項１に記載の空調機能付コンソール装置。
【請求項３】
前記第１吹出口はスリット状をなし、
前記第１流路部は、前記空調空気の流路上流側に位置する導入部と、前記導入部よりも前記空調空気の流路下流側に位置し前記第１吹出口の長手方向に沿って延びる整流部とを有し、
前記整流部は、前記第１吹出口に連絡する出口部と、前記導入部に連絡するバッファー部とを有し、
前記出口部と前記導入部との境界には、前記ダクトにおける前記第１吹出口側の内壁面から突出し前記第１吹出口の長手方向に沿って延びる立壁が設けられ、
前記出口部と前記バッファー部とは、前記第１吹出口とは逆側の領域においては連絡し、前記第１吹出口側の領域においては前記立壁によって隔てられる、請求項１または請求項２に記載の空調機能付コンソール装置。
【請求項４】
前記バッファー部の流路断面積は、前記出口部の流路断面積の２倍以上である、請求項３に記載の空調機能付コンソール装置。
【請求項５】
前記立壁は、前記整流部における前記長手方向の全長に設けられている、請求項３または請求項４に記載の空調機能付コンソール装置。
【請求項６】
前記第１流路部または前記第１吹出口を開閉する第１開閉ダンパと、前記第２流路部または前記第２吹出口を開閉する第２開閉ダンパと、の少なくとも一方を具備する、請求項１〜請求項５の何れか一項に記載の空調機能付コンソール装置。
【発明の詳細な説明】
【技術分野】
【０００１】
本発明は、車両の冷暖房を行うための空調機能を有するコンソール装置に関する。
【背景技術】
【０００２】
一般的な車両には、冷暖房を行うための空調システムが搭載されている。ガソリン等の石油燃料を動力源としエンジンを原動機とするエンジン車においては、空調システムにおける暖房用の熱源として、石油燃料の燃焼時の排熱を利用するのが一般的である。
【０００３】
近年台頭がめざましい電気自動車は、リチウムイオン二次電池等の自動車用電池を動力源とするものであり、石油燃料の燃焼がないために、上記したエンジン車に比べて、ＣＯ２排出量低減等の面で有利である。
【０００４】
しかしその反面、電気自動車は、石油燃料の燃焼時の排熱を利用できない。
このため、電気自動車に搭載される空調システムにおいては、電動モータの動力源である自動車用電池を電熱ヒータの動力源としても用いるのが一般的である。しかし、走行用の電動モータ及び暖房用の電熱ヒータの動力源として同じ自動車用電池を用いることで、例えば厳寒期等の暖房に必要なエネルギ量が大きい場合、大きなエネルギを空調システムに費やすことで車両の走行可能な距離が短くなる問題がある。この面において、電気自動車はエンジン車に比べて不利といい得る。エンジンと電動モータとを併用したハイブリッド車についても同様である。
【０００５】
近年、車室全体の空調を行うかわりに、車室のうちの目的とする部分だけに空調を行う技術が提案されている。
特許文献１には、車両における座席の側方に配置されるコンソール装置において、コンソールボックスの側面部の上端側と蓋体の側端部との間に、座席に着座した乗員に対して空調空気を吹き出すための隙間を設ける技術が開示されている。
このように、車室内において乗員に近接した部分だけに空調を行うことで、車室全体の空調を行う場合に比べてエネルギの使用量を低減できる可能性がある。
以下、本明細書において、このように車室内において乗員に近接した部分に空調を行う技術を近接空調と称する場合がある。また、車室内の広範囲にわたって空調を行う技術を一般空調と称する場合がある。
【先行技術文献】
【特許文献】
【０００６】
【特許文献１】特開２０１７−５６９１７号公報
【発明の概要】
【発明が解決しようとする課題】
【０００７】
ところで、上記のように、近接空調は空調システムひいては車両の省エネルギ化を実現し、かつ、乗員が快適に過ごし得るよう車室内の空調を行うのに有用と考えられる。しかし実際には、近接空調だけでは、車室内の空調を充分に行い難い場合がある。
例えば乗員の数が多い場合には、近接空調によって車室における一部の領域のみに空調を行うと、空調が行われない領域に搭乗する乗員が不快感を覚える可能性がある。このような面からも、車両用の空調システムとして、近接空調だけを行うものは充分でないと考えられる。
【０００８】
特許文献１は、実施例として、近接空調と一般空調とをともに行う例を開示している。特許文献１の実施例には、コンソールボックスの外側パネルと内側パネルとの間に一般空調用の流路を区画形成し、当該流路に供給穴を設け、当該供給穴を経て、流路を流通する空調空気を近接空調用の吹出口（隙間２７）に供給する旨が開示されている。
また、特許文献１には、他の例として、一般空調用の流路とは別に、近接空調用のダクト（専用ダクト３４）を設ける旨も開示されている。
【０００９】
このような特許文献１の技術によると、近接空調と一般空調とを同時に行うことが可能である。しかし、この技術によると、流路としてコンソールボックスのサイドパネルを用いるために、コンソールボックスの汎用性が大きく損なわれ、ひいては、近接空調用の吹出口や一般空調用の吹出口の設計の自由度も大きく損なわれる。このため、この種の装置は汎用性に劣る問題がある。
一般空調用の流路とは別に、近接空調用の専用ダクトを設ける場合には、少なくとも当該専用ダクトに関する形状や位置の自由度は向上するが、一般空調用の流路に由来する汎用性の問題は依然として解消しない。
本発明は上記事情に鑑みてなされたものであり、一般空調と近接空調とを同時に行うことができ、かつ汎用性の高い空調機能付コンソール装置を提供することを目的とする。
【課題を解決するための手段】
【００１０】
上記課題を解決する本発明の空調機能付コンソール装置は、
内部空間を有し車両の座席の側方に配置される筐体と、前記筐体に組付けられて前記内部空間に配置される筒状のダクトと、を有し、
前記筐体は、前記座席に向けて開口する第１吹出口と、前記座席よりも後方に向けて開口する第２吹出口と、を有し、
前記ダクトは、車両用空調装置に連絡して空調空気の流入端部となる流入流路部と、前記流入流路部に連絡する分配流路部とを有し、
前記分配流路部は、前記第１吹出口に連絡する第１流路部と、前記第２吹出口に連絡する第２流路部と、の二つの独立した流路に分岐する、コンソール装置である。
【発明の効果】
【００１１】
本発明の空調機能付コンソール装置は、一般空調と近接空調とを同時に行うことができ、かつ汎用性にも優れる。
【図面の簡単な説明】
【００１２】
【図１】車室内における実施例１の空調機能付コンソール装置を模式的に表す説明図である。
【図２】実施例１の空調機能付コンソール装置を側面視した様子を模式的に表す説明図である。
【図３】実施例１の空調機能付コンソール装置を上面視した様子を模式的に表す説明図である。
【図４】実施例１の空調機能付コンソール装置の断面を模式的に表す説明図である。
【図５】実施例１の空調機能付コンソール装置におけるダクトを模式的に表す説明図である。
【図６】実施例２の空調機能付コンソール装置を上面視した様子を模式的に表す説明図である。
【図７】実施例２の空調機能付コンソール装置の断面を模式的に表す説明図である。
【発明を実施するための形態】
【００１３】
本発明の空調機能付コンソール装置は、内部空間を有し車両の座席の側方に配置される筐体と、当該筐体に組付けられて上記の内部空間に配置される筒状のダクトと、を有する。
【００１４】
筐体は、上記の座席に向けて開口する第１吹出口と、上記の座席よりも後方に向けて開口する第２吹出口と、を有する。筐体は座席の側方に配置されるため、当該筐体に設けられ上記の座席に向けて開口する第１吹出口は、近接空調用の吹出口に相当する。また、当該筐体に設けられ上記の座席よりも後方に向けて開口する第２吹出口は一般空調用の吹出口に相当する。
【００１５】
一方、ダクトは、車両用空調装置に連絡して空調空気の流入端部となる流入流路部と、上記の流入流路部に連絡する分配流路部とを有する。当該分配流路部は、上記の第１吹出口に連絡する第１流路部と、上記の第２吹出口に連絡する第２流路部と、の二つの独立した流路に分岐する。
【００１６】
したがって、本発明の空調機能付コンソール装置においては、車両用空調装置から供給された空調空気は、ダクトの流入流路部に進入し、次いで、分配流路部に到達する。分配流路部は、第１流路部と第２流路部とに分岐するため、ダクトを流通する空調空気の一部は第１流路部に進入し、他の一部は第２流路部に進入する。
【００１７】
第１流路部は第１吹出口に連絡しているため、第１流路部内の空調空気は第１吹出口を介して座席に向けて吹き出す。これにより、本発明の空調機能付コンソール装置によると、近接空調を行い得る。
一方、第２流路部は第２吹出口に連絡しているため、第２流路部内の空調空気は、第２吹出口を介して車両の後方に吹き出す。これにより、本発明の空調機能付コンソール装置によると、上記した近接空調に加えて、一般空調を行い得る。
【００１８】
また、本発明の空調機能付コンソール装置においては、ダクトは筐体に組付けられて当該筐体の内部空間に配置される。つまり、本発明の空調機能付コンソール装置では、ダクトと筐体とは独立して設けられている。このことにより、筐体すなわちコンソールボックスおよびダクトの設計の自由度や、筐体に対するダクトの配置の自由度が向上する。また、例えば、異なる形状の筐体に同じダクトを組付けることや、異なる形状のダクトを同じ形状の筐体に組付けることも可能である。このため、本発明の空調機能付コンソール装置は、筐体やダクトの汎用性に優れるといい得る。
【００１９】
更に、ダクトとして、近接空調用および一般空調用の異なる二種のダクトを用いるのではなく、流入流路部を共有する分岐形状のものを用いることで、無駄を省き、ダクトの外形を極力小さくすることができる。そして、このように省スペース化したダクトを筐体の内部空間に配置したことで、本発明の空調機能付コンソール装置は取り扱い性にも優れる。例えばダクトが筐体の下側等に設けられ、筐体の内部に収まらない場合には、空調機能付コンソール装置を車両に取付ける際に、ダクトと筐体とを一体に扱うことができず、取付作業が繁雑になる。しかし、ダクトを筐体の内部に配置することで、空調機能付コンソール装置を車両に取付ける作業が容易になる。
このように、本発明の空調機能付コンソール装置は、省スペース化されたダクトを筐体の内部に配置することにより、車両用のコンソール装置として好適である。
【００２０】
以下、本発明の空調機能付コンソール装置を詳細に説明する。
なお、特に断らない限り、本明細書に記載された数値範囲「ｘ〜ｙ」は、下限ｘおよび上限ｙをその範囲に含む。そして、これらの上限値および下限値、ならびに実施形態中に列記した数値も含めてそれらを任意に組み合わせることで数値範囲を構成し得る。さらに数値範囲内から任意に選択した数値を上限、下限の数値とすることができる。
以下、必要に応じて、空調空気の流路上流側を単に上流側と称し、空調空気の流路下流側を単に下流側と称する場合がある。
【００２１】
本発明の空調機能付コンソール装置は、筐体とダクトとを有する。
このうち筐体は、ダクトを配置可能な内部空間を有し、車両における座席の側方に配置される。さらに、筐体は座席に向けて開口する第１吹出口と、座席よりも後方に向けて開口する第２吹出口とを有する。
【００２２】
筐体は、運転席と助手席との間に配置されても良いし、２つの後部座席の間に配置されても良い。場合によっては、筐体は、何れか一つの座席のみの側方、例えば座席とドアとの間等に配置されても良い。
【００２３】
筐体の内部空間にはダクトが配置される。ダクトは、その全体が当該内部空間に収納されても良いし、その一部が内部空間の外部、すなわち筐体の外部に露出しても良い。特に、ダクトにおける流入流路部は、車両用空調装置に連絡される部分である。このため、流入流路部と車両用空調装置とを接続する作業の効率を考慮すると、当該流入流路部における車両用空調装置側の端部は筐体の外部に露出するのが好ましいといえる。ダクトにおけるその他の部分は、内部空間に収納され筐体の外部には露出しないのが好ましい。
【００２４】
筐体の内部空間には、ダクトのみが配置されても良いし、ダクトに加えてダクト以外の車両搭載機器が配置されても良い。当該車両搭載機器としては、例えば、ドリンクホルダ、テーブル、オーディオ機器、カーナビゲーションシステムまたはそのモニタ、各種の機器を操作するためのタッチパネル等が例示される。これらの車両搭載機器は、本発明の空調機能付コンソール装置の一部とみなしても良いし、本発明の空調機能付コンソール装置とは別の装置とみなしても良い。
【００２５】
筐体は、既述した第１吹出口と第２吹出口とを有する。第２吹出口の形状は特に限定しないが、第１吹出口については、座席に着座した乗員の近傍を近接空調することを考慮すると、座席に着座した乗員に沿って延びるスリット状であることが好ましい。
具体的には、当該第１吹出口は、座席の前後方向に沿って延びるのが好ましい。換言すると、第１吹出口における長手方向の一端部は、座席の前後方向において、長手方向の他端部よりも前側に位置するのが好ましい。この場合には、第１吹出口から吹き出す空調空気を乗員の脚部に吹きつけ得る。
または、当該第１吹出口は、座席の上下方向に沿って延びても良い。換言すると、第１吹出口における長手方向の一端部は、座席の上下方向において、長手方向の他端部よりも上側に位置するのが好ましい。この場合には、第１吹出口から吹き出す空調空気を乗員の胴体に吹きつけ得る。
その他、スリット状をなす当該第１吹出口の延びる方向は、種々の方向にすることができる。
【００２６】
ここで、例えば、「第１吹出口における長手方向の一端部が座席の前後方向において他端部よりも前側に位置する」とは、「第１吹出口の長手方向を座席の前後方向と概略同じ方向に向ける」ことを意味する。第１吹出口の長手方向は座席の前後方向と一致しなくて良いが、両者のなす角は９０°以下であるのが好ましく、４５°以下であるのがより好ましく、３０°以下であるのがさらに好ましく、１５°以下であるのが特に好ましい。
【００２７】
また、「座席の前後方向」は、「座席の向き」と捉えることもでき、座席に着座し乗員の臀部と膝とをむすぶ方向と一致する。当該乗員の膝側が座席の前側であり、臀部側が座席の後側である。本発明の空調機能付コンソール装置における座席の前後方向は、車両の進行方向と同じであっても良いし、異なっていても良い。後述する実施例の空調機能付コンソール装置においては、座席の前後方向と車両の進行方向とは一致するが、例えば複数の座席が車両進行方向に対して横向きに並ぶ場合等、前後方向が車両進行方向と一致しない場合もある。複数の座席が車両進行方向に対して横向きに並ぶ場合には、車両の進行方向と略直交する方向が座席の前後方向となる。
【００２８】
吹出口の長手方向を座席の前後方向と概略同じ方向に向けることで、吹出口から流出した空調空気を、乗員の臀部と膝との間にある大腿部の全体にわたって吹きつけることができ、乗員の大腿部を効率良く暖めまたは冷やすことができる。
【００２９】
ここで、寒冷下においては人体の背中や大腿部を暖めるのが良いとされているため、より小さい熱量によって乗員に暖かさを知覚させるためには、乗員の背中や大腿部を集中的に暖めるのが合理的である。
背中に関しては、座席の背もたれに覆われ、場合によってはシートヒータで暖められる。このため乗員は、背中よりも大腿部において、より寒さや暖かさを知覚し易いと考えられる。
【００３０】
本発明の空調機能付コンソール装置において、第１吹出口の形状を座席の前後方向に沿って延びるスリット状とすることで、空調空気を乗員の大腿部に集中して、かつ、当該大腿部の全体にわたって吹き付けることができる。このことにより、乗員が快適な温度であると知覚するように、効率の良い空調を行うことが可能である。
【００３１】
乗員の大腿部を充分な範囲で暖めるまたは冷やすためには、第１吹出口の長手方向の長さをある程度長くするのが好ましい。具体的には、当該第１吹出口の長手方向の長さは、座席における座面の前後方向の長さの５０％以上であるのが好ましく、７０％以上であるのがより好ましく、８０％以上であるのがさらに好ましい。
第１吹出口の長手方向の実際の長さは、１５０ｍｍ以上であるのが好ましく、１７０ｍｍ以上であるのがより好ましく、２００ｍｍ以上であるのが特に好ましい。
【００３２】
なお、第１吹出口は、長手方向を有する都合上、短手方向も有する。第１吹出口の長手方向の長さと短手方向の長さとの比率は特に問わないが、省エネルギの観点からは、第１吹出口の流路断面積は過大でないのが好ましい。したがって、第１吹出口における短手方向の長さは短い方が好ましい。具体的には、第１吹出口の長手方向の長さは短手方向の長さの２倍以上であるのが好ましく、３倍以上であるのがより好ましく、５倍以上であるのがさらに好ましく、１０倍以上であるのが特に好ましい。長手方向と短手方向とは直交する方向であるのが好ましいが、両者は直角以外の角度で交差しても構わない。この場合の両者の交差角（劣角）は、４５°以上であるのが好ましく、６０°以上であるのがより好ましく、７５°以上であるのがさらに好ましい。
【００３３】
また、乗員の大腿部をより効率的に暖めるまたは冷やすためには、空調空気が乗員の大腿部の上を流通するのが良い。このため、第１吹出口は座席の座面よりもさらに上側に位置するのが好ましい。好ましくは、第１吹出口の上端は、座席の座面よりも上側にあり、かつ、第１吹出口の上端と座面との上下方向の距離は５０ｍｍ以上であるのが好ましい。また、この場合、第１吹出口の下端もまた座面よりも上側にあり、かつ第１吹出口の下端と座面との上下方向の距離は１０ｍｍ以上であるのがより好ましい。
上記した第１吹出口の上端と座面との上下方向の距離のより好ましい範囲として、７０ｍｍ以上、１００ｍｍ以上、１５０ｍｍ以上の各範囲を挙げることができる。当該第１吹出口の上端と座面との上下方向の距離に特に上限はないが、好ましい範囲として、２５０ｍｍ以下、２３０ｍｍ以下、２００ｍｍ以下の各範囲を挙げることができる。
【００３４】
また、上記した第１吹出口の下端と座面との上下方向の距離のより好ましい範囲として、２０ｍｍ以上、４０ｍｍ以上、８０ｍｍ以上の各範囲を挙げることができる。当該第１吹出口の下端と座面との上下方向の距離に特に上限はないが、好ましい範囲として、１７０ｍｍ以下、１５０ｍｍ以下、１４０ｍｍ以下の各範囲を挙げることができる。
【００３５】
また、近接空調において、空調空気は、乗員の身体のなるべく大きな範囲に吹き付けるのが好ましい。例えば、第１吹出口によって乗員の大腿部を温めまたは冷やす場合には、空調空気は、乗員の一対の大腿部のうち吹出口に近い側の大腿部から遠い側の大腿部に向けて、流通するのが良い。乗員の二つの大腿部の上に空調空気を流通させるためには、座席に対して筐体とは逆側の側方に、空調空気を吸入する吸入ダクトを設ければ良い。こうすることで、乗員の大腿部の上方で空調空気の乱流が生じたり、滞留したりすることが抑制され、乗員の大腿部に適度に温度調整された空調空気が連続的に供給される。したがって、この場合には、乗員の大腿部を効率的に暖め得る。
【００３６】
吸入ダクトは、第１吹出口側に位置する吸入口と、当該吸入口とは逆側に位置する排気口とを有する。筐体内部のダクトが給気用のダクトであるのに対して、吸入ダクトは排気用のダクトということもできる。
【００３７】
吸入ダクトの排気口は、車室外に連絡しても良いし、車室内に連絡しても良い。また、必要に応じて、吸入ダクト内に空気の流れを生じさせるための吸入ダクト用ブロワを設けても良い。筐体を運転席と助手席との間に配置する場合には、吸入ダクトおよび吸入ダクト用ブロワは筐体と逆側のサイドドアに設けるのが好ましい。
【００３８】
ダクトは、既述したように、流入流路部および分配流路部を有し、かつ、分配流路部が第１流路部および第２流路部の二つの独立した流路に分岐したものである。
ダクトは内部に空調空気の流路すなわち上記の流入流路部および分配流路部を有する筒状をなせば良く、その形状や材料は特に限定しない。車両に搭載する都合上、ダクトは軽量であるのが好ましく、ダクトの材料としては樹脂やゴムを選択するのが好ましい。ダクトは、ブロー成形、射出ブロー成形、ウォーターアシスト成形等の方法でその全体が一体に成形されたものであっても良いし、或いは複数の分体として成形され当該分体が互いに組付けられて一体化されたものであっても良い。
ダクトの分配流路部は、第１流路部および第２流路部に分岐すれば良い。
【００３９】
ところで、第１流路部はダクトにおける近接空調用の流路であり、第２流路部はダクトにおける一般空調用の流路である。このため、第１流路部を流通し第１吹出口を経て吹き出される空調空気は、主に、乗員に近接した位置から乗員に直接吹き付ける。また、第２流路部を流通し第２吹出口を経て吹き出される空調空気は、主に、乗員から離れた位置から乗員に向けて直接的又は間接的に吹き付ける。このため、乗員にとって快適な空調を行うためには、第２流路部を流通する空調空気は第２吹出口から強く吹き出すことができるのが好ましいのに対し、第１流路部を流通する空調空気は第１吹出口から比較的緩やかに吹き出すのが好ましいと考えられる。空調空気が第１吹出口を経て乗員に直接かつ強く吹き付けると、乗員が不快感を覚える可能性が高いためである。
【００４０】
第１流路部を経た空調空気を第１吹出口から緩やかに吹き出すためには、第１流路部における空調空気の流量を、第２流路部における空調空気の流量よりも少なくするのが有効と考えられる。
【００４１】
具体的な方法として、第２流路部のうち第１流路部との境界となる部分の流路断面積を、第１流路部のうち第２流路部との境界となる部分の流路断面積の２倍以上とする方法が挙げられる。当該「第１流路部のうち第２流路部との境界となる部分」を第１分岐端部と称する。当該「第２流路部のうち第１流路部との境界となる部分」を第２分岐端部と称する。
第２分岐端部の流路断面積を第１分岐端部の流路断面積の２倍以上とすることで、流入流路部を経て分配流路部に流入した空調空気は、第２流路部に多く分配される。流入流路部を流通する空調空気の量が同じであれば、第２流路部に分配される空調空気の量が多い程、第１流路部に分配される空調空気の量が少なくなり、第１流路部における空調空気の流量が少なくなる。したがって、この場合、空調空気は第１吹出口から緩やかに吹き出す。
【００４２】
なお、第２分岐端部の流路断面積は、第１分岐端部の流路断面積の２倍以上であるのが好ましく、２．３倍以上であるのが特に好ましい。
【００４３】
ところで、既述したように、第１吹出口から吹き出す空調空気は、乗員の大腿部の全体にわたって吹きつけるのが好ましく、この視点から、第１吹出口は座席の前後方向に沿って延びるスリット状であるのが好ましい。
【００４４】
座席に着座した乗員の大腿部をより効率的に暖めまたは冷やすためには、空調空気は、スリット状をなす第１吹出口の長手方向の全体にわたって、均一に吹き出すのが好ましい。
当該第１吹出口の長手方向の全体にわたって空調空気を均一に吹き出すためには、第１流路部のうち第１吹出口の上流側に位置する部分に、空調空気を整流するための機構を設けるのが有効である。
【００４５】
上記した空調空気を整流するための機構の具体的な構造は実施例の欄に例示するが、第１流路部に当該機構を設ける目的は、第１吹出口の上流側において、第１流路部における空調空気の流通方向を変えることで、当該空調空気を第１吹出口の長手方向の全体にわたって略均等に分配することにある。第１流路部における空調空気の流通方向を変えることで、第１流路部を流通する空調空気が第１吹出口の一部から直接吹き出すことが抑制されれば、当該空調空気を第１吹出口の長手方向に均等に分配し易くなる。
【００４６】
第１流路部における空調空気の流通方向を変えるためには、ダクトのうち第１吹出口の上流側に、内壁面から突出する立壁を設け、当該立壁によって空調空気の流通を干渉するのが良い。立壁に当たった空調空気は、当該立壁に沿って案内され、当該立壁の突出端部側において立壁とダクトの内壁面との隙間を通り、第１吹出口に供給される。このような立壁は、第１吹出口の長手方向に沿って延びるのが好ましい。
【００４７】
上記の立壁は、ダクトにおける内壁面のうち第１吹出口側に位置する部分から突出しても良いし、当該内壁面のうち第１吹出口に対面する側に位置する部分から突出しても良い。第１流路部を流通する空調空気が第１吹出口の一部から直接吹き出すことをより確実に抑制するためには、立壁は、ダクトにおける内壁面のうち第１吹出口側に位置する部分から突出するのが好ましい。
【００４８】
第１流路部のうち第１吹出口側の部分は、立壁によって二つの部分に分けられる。当該二つの部分を整流部と称し、そのうち第１吹出口に近い側の部分を出口部と称し、第１吹出口から遠い側の部分をバッファー部と称する。
バッファー部は出口部の上流側に位置する。バッファー部と出口部とは、立壁によって部分的に隔てられ、立壁の突出端部側において連絡する。
【００４９】
第１流路部を流通する空調空気が第１吹出口の一部から直接吹き出すことをより確実に抑制し、空調空気を第１吹出口の長手方向の全体にわたって略均等に分配するためには、整流部から第１吹出口に至る空調空気の略全部を立壁に当接させるのが好ましい。このためには、立壁を、整流部における長手方向の全長に設けるのが好ましい。ここでいう整流部における長手方向は、第１吹出口の長手方向に一致する。
【００５０】
また、整流部から第１吹出口に至る空調空気の略全部を立壁に当接させるためには、流入流路部から整流部に流入する空調空気を、先ず、バッファー部に流入させれば良い。具体的には、流入流路部が出口部ではなくバッファー部に連絡すれば良い。整流部においてバッファー部は出口部の上流側に位置し、立壁はバッファー部と出口部との間に配置されるために、バッファー部に流入した空調空気は立壁に頻度高く当接する。
なお、この場合、立壁を整流部における長手方向の全長に設けることで、より一層空調空気が立壁に当接する頻度を高めることが可能である。
【００５１】
また、第１吹出口から吹き出す空調空気をより緩やかにするためには、バッファー部の流路断面積を出口部の流路断面積よりも大きくするのが好ましい。バッファー部の流路断面積は、出口部の流路断面積の１．５倍以上であるのが好ましく、２倍以上であるのが特に好ましい。
【００５２】
以下、具体例を挙げて本発明の空調機能付コンソール装置を説明する。
【００５３】
（実施例１）
車室内における実施例１の空調機能付コンソール装置を模式的に表す説明図を図１に示す。実施例１の空調機能付コンソール装置を側面視した様子を模式的に表す説明図を図２に示す。実施例１の空調機能付コンソール装置を上面視した様子を模式的に表す説明図を図３に示す。実施例１の空調機能付コンソール装置の断面を模式的に表す説明図を図４に示す。実施例１の空調機能付コンソール装置におけるダクトを模式的に表す説明図を図５に示す。以下、上、下とは鉛直方向における上、下を指し、前、後、左、右とは車両進行方向における前、後、左、右を意味するものとする。左右方向は車幅方向であり、前後方向は車両進行方向である。
【００５４】
図１に示すように、実施例１の空調機能付コンソール装置１は、車室９５に配置され、筐体２、ダクト３（図３〜図５参照）、ドリンクホルダ９０、荷室９１（図３参照）、および、リッド９２を有する。図１に示すように、筐体２は車両のセンターコンソールボックスである。図３に示すように筐体２は運転席９９と助手席９８との間に配置されている。
【００５５】
筐体２は、その長手方向を前後に向けている。図１〜図３に示すように、筐体２には二つの第１吹出口２１および二つの第２吹出口２２が設けられている。図１および図２に示すように、一方の第１吹出口２１Ｌは、筐体２の左側壁における前側かつ上側部分に設けられている。図３に示すように、第１吹出口２１Ｌは助手席９８に向けて開口する。他方の第１吹出口２１Ｒは、筐体２の右側壁における前側かつ上側部分に設けられ、運転席９９に向けて開口する。
【００５６】
図１に示すように、二つの第２吹出口２２は、筐体２の後側壁における上側部分に設けられ、後方に向けて開口する。一方の第２吹出口２２Ｌは左側に配置され、他方の第２吹出口２２Ｒは右側に配置されている。
【００５７】
図３に示すように、筐体２における左右方向の中央部分にはドリンクホルダ９０および荷室９１が設けられている。荷室９１は、上方に開口する箱状をなす。荷室９１の上部はリッド９２で覆われている。ドリンクホルダ９０は荷室９１よりも前側に配置され、図４に示すように下底を有し上方に開口する筒状をなす。
【００５８】
図３に示すように、筐体２は、内部空間２９を有する箱状をなす。筐体２の内部空間２９には、ダクト３が配置されている。既述したドリンクホルダ９０および荷室９１もまた、内部空間２９に配置されている。
筐体２およびダクト３は樹脂製であり、ダクト３は筐体２と別体で成形され、筐体２に組付けられている。
【００５９】
図３に示すように、ダクト３は概略前後方向に延びる筒状をなす。ダクト３の前端は、車両前部に配設されている車両用空調装置９７に連絡する。ダクト３の前端が車両用空調装置９７に連絡するため、車両用空調装置９７からダクト３に供給された空調空気は前方から後方に向けて流通する。
【００６０】
なお、当該車両用空調装置９７は、暖房換気空調（ＨＶＡＣ：ｈｅａｔｉｎｇ  ｖｅｎｔｉｌａｔｉｎｇ  ａｉｒ  ｃｏｎｄｉｔｉｏｎｉｎｇ）システムとも称されるものであり、車室９５を冷暖房するための図略のヒートポンプシステムおよび図略のブロワを有する。
【００６１】
ダクト３は、流入流路部３０と、二つの分配流路部４０とを有する。一方の分配流路部４０を左側分配流路部４０Ｌと称し、他方の分配流路部４０を右側分配流路部４０Ｒと称する。右側分配流路部４０Ｒおよび左側分配流路部４０Ｌは、左右に配列し、ともに流入流路部３０の後側すなわち下流側に連続する。右側分配流路部４０Ｒおよび左側分配流路部４０Ｌは、各々、第１流路部４１および第２流路部４２を有する。図５に示すように、第１流路部４１は第２流路部４２の上側に配置される。なお、第１流路部４１および第２流路部４２は、分岐箇所となる第１分岐端部４１Ｅおよび第２分岐端部４２Ｅよりも下流側では、連絡せず互いに独立している。
【００６２】
実施例１の空調機能付コンソール装置１におけるダクト３は、流入流路部３０の下流側において左右に配列する左側分配流路部４０Ｌおよび右側分配流路部４０Ｒに分岐し、更に、左側分配流路部４０Ｌおよび右側分配流路部４０Ｒは、各々、上下に配列する第１流路部４１及び第２流路部４２に分岐する、といえる。
【００６３】
図３に示すように、左側分配流路部４０Ｌの第１流路部４１Ｌは、助手席９８に向けて開口する第１吹出口２１Ｌに連絡し、右側分配流路部４０Ｒの第１流路部４１Ｒは、運転席９９に向けて開口する第１吹出口２１Ｒに連絡する。また、左側分配流路部４０Ｌの第２流路部４２Ｌは、左側に配置され後方に開口する第２吹出口２２Ｌに連絡し、右側分配流路部４０Ｒの第２流路部４２Ｒは、右側に配置され後方に開口する第２吹出口２２Ｒに連絡する。
【００６４】
図５に示すように、第１流路部４１のうち、第２流路部４２との境界となる第１分岐端部４１Ｅの流路断面積は、第２流路部４２のうち、第１流路部４１との境界となる第２分岐端部４２Ｅの流路断面積よりも小さい。実施例１の空調機能付コンソール装置１において、第１分岐端部４１Ｅの流路断面積と第２分岐端部４２Ｅの流路断面積との比は３：７である。
【００６５】
図５に示すように、第１流路部４１は、導入部４３と整流部４４とを有する。導入部４３は第１分岐端部４１Ｅ側すなわち上流側に位置し、整流部４４は下流側に位置する。導入部４３および整流部４４は、互いに略平行であるように前後方向に延びる。
図２および図５に示すように、第１吹出口２１は、その長手方向を前後に向けたスリット状をなす。整流部４４は第１吹出口２１の長手方向すなわち前後方向に沿って延び、出口部４５と、バッファー部４６とを有する。
【００６６】
出口部４５は、バッファー部４６よりも上側に位置する。図４に示すように、出口部４５は第１吹出口２１よりも内側すなわち左右方向の中央側に配置され、図３および図５に示すように、第１吹出口２１と略平行となる前後方向に延びる。具体的には、左側分配流路部４０Ｌの第１流路部４１Ｌは、助手席９８に向けて開口する第１吹出口２１Ｌの右側に配置され、当該第１吹出口２１Ｌに連絡する。右側分配流路部４０Ｒの第１流路部４１Ｒは、運転席９９に向けて開口する第１吹出口２１Ｒの左側に配置され、当該第１吹出口２１Ｒに連絡する。
【００６７】
図４に示すように、バッファー部４６は出口部４５よりも下側に位置し、図５に示すようにバッファー部４６は出口部４５と略平行となる前後方向に延びる。バッファー部４６の流路断面積は出口部４５の流路断面積よりも大きい。実施例１の空調機能付コンソール装置１におけるバッファー部４６の流路断面積は、出口部４５の流路断面積の４倍である。
図５に示すように、導入部４３はバッファー部４６に連絡している。
【００６８】
出口部４５とバッファー部４６との境界には、立壁３５が設けられている。図４に示すように、立壁３５は、ダクト３における第１吹出口２１側の内壁面から略水平に突出する。また、図５に示すように、立壁３５は第１吹出口２１の長手方向すなわち前後方向に沿って延び、かつ、整流部４４における長手方向の全長に設けられている。
立壁３５の突出高さは、出口部４５の左右方向の長さおよびバッファー部４６の左右方向の長さよりも短い。したがって、立壁３５の突出先端側には、出口部４５とバッファー部４６とを連絡する隙間４７が形成されている。
【００６９】
出口部４５とバッファー部４６との境界に立壁３５が設けられているために、図４に示すように、出口部４５とバッファー部４６とは、第１吹出口２１とは逆側の領域においては隙間４７によって連絡し、第１吹出口２１側の領域においては立壁３５によって隔てられる。
【００７０】
図１および図５に示すように、第２吹出口２２の一部は風向調整用のレジスタ８０によって構成されている。第２吹出口２２から後方に向けて吹き出す空調空気の風向は、当該レジスタ８０によって調整可能である。また、図５に示すように、レジスタ８０よりもやや上流側の位置には、第２開閉ダンパ８２が配置されている。当該第２開閉ダンパ８２は、第２吹出口２２を閉じる閉位置（図５中２点鎖線で示す）と、第２吹出口２２を開く開位置（図５中実線で示す）との間を回動可能である。第２開閉ダンパ８２を操作するための操作ダイヤル８９は、図１に示すように、レジスタ８０の側方に配置されている。
【００７１】
なお、図５に示すように、第１流路部４１における第１分岐端部４１Ｅの近傍には、第１開閉ダンパ８１が配置されている。当該第１開閉ダンパ８１は、第１流路部４１を閉じる閉位置（図５中２点鎖線で示す）と、第１流路部４１を開く開位置（図５中実線で示す）との間を回動可能である。図示しないが、第１開閉ダンパ８１を操作するための操作ダイヤルは、第１吹出口２１の近傍に配置されている。
【００７２】
実施例１の空調機能付コンソール装置１において、図５に示す車両用空調装置９７からダクト３の流入流路部３０に供給された空調空気は、分配流路部４０において第１流路部４１と第２流路部４２とに分配される。ここで、第１流路部４１の上流端に位置する第１分岐端部４１Ｅの流路断面積は、第２流路部４２の上流端に位置する第２分岐端部４２Ｅの流路断面積よりも小さいため、空調空気は第２流路部４２に多く分配される。したがって、第２流路部４２を流通し第２吹出口２２を経て後方に吹き出す空調空気の風量は大きく、当該空調空気は比較的遠くにまで到達する。よって、実施例１の空調機能付コンソール装置１によると、一般空調が可能であり、車両における後部側の領域を効率良くかつ充分に空調することが可能である。
【００７３】
一方、第１流路部４１に分配される空調空気は、比較的少量である。第１流路部４１に流入した空調空気は、後方に向けて進み、導入部４３を経て、バッファー部４６に流入する。
【００７４】
ところで、第１流路部４１を流通する空調空気の吹出口である第１吹出口２１は、バッファー部４６の上側にある。したがってダクト３内を後方に向けて進んだ空調空気は、バッファー部４６においては上方に進まなければ第１吹出口２１に到達しない。さらに、図４に示すように、バッファー部４６の上方には立壁３５が設けられており、第１吹出口２１に至る出口部４５と、バッファー部４６とは、第１吹出口２１とは逆側の領域でのみ連絡している。このため、バッファー部４６から第１吹出口２１に至る空調空気の流路は方向を複雑に変え、空調空気はバッファー部４６および出口部４５の内部で拡散する。これにより空調空気は、前後方向すなわち第１吹出口２１の長手方向に分配される。よって、実施例１の空調機能付コンソール装置１によると、第１吹出口２１における長手方向の全体から、運転席９９や助手席９８に着座した乗員９６に向けて空調空気を吹き出すことができ、近接空調を好適に行い得る。
【００７５】
さらに、図１および図２に示すように、実施例１の空調機能付コンソール装置１における第１吹出口２１は外側開口部材８３で覆われている。図４に示すように、外側開口部材８３の上流側には、更に、内側開口部材８４が配置されている。
内側開口部材８４は、上下方向に延びるスリット状をなし前後方向に配列する内側開口（図略）を多数有する部材である。外側開口部材８３は、内側開口よりも小径の貫通孔状をなす外側開口８５を多数有する部材である。内側開口部材８４および外側開口部材８３によって第１吹出口２１を覆うことで、第１吹出口２１付近における空調空気の流路は、多数に分割され、かつ、段階的に狭められる。このため、第１吹出口２１から吹き出す空調空気はさらに拡散される。このことによっても、実施例１の空調機能付コンソール装置１によると、第１吹出口２１における長手方向の全体から、空調空気を緩やかに吹き出すことができる。
【００７６】
実施例１の空調機能付コンソール装置１によると、上記したように近接空調および一般空調を同時に行うことができる。また、ダクト３は筐体２に組付けられて当該筐体２の内部空間２９に配置されるため、筐体２およびダクト３の交換や設計の変更が容易である。よって、実施例１の空調機能付コンソール装置１は筐体２やダクト３の汎用性に優れる。
【００７７】
実施例１の空調機能付コンソール装置１において、第１流路部４１は第１開閉ダンパ８１によって開閉可能であり、第２吹出口２２は第２開閉ダンパ８２によって開閉可能である。また、第１開閉ダンパ８１と第２開閉ダンパ８２とは独立して動作可能である。
このため、実施例１の空調機能付コンソール装置１によると、近接空調と一般空調との一方だけを選択的に行うことが可能である。また、第１分岐端部４１Ｅの流路断面積を第２分岐端部４２Ｅの流路断面積よりも遙かに小さくしたことで、第２開閉ダンパ８２によって第２吹出口２２を閉じた時にも、第１流路部４１に供給される空調空気の流量が過大となることが抑制され、第１吹出口２１から空調空気を緩やかに吹き出すことができる。
【００７８】
なお、実施例１の空調機能付コンソール装置１は、第１開閉ダンパ８１と第２開閉ダンパ８２との両方を有するが、本発明の空調機能付コンソール装置１は、これらの一方だけを有しても良いし、これらの両方を有さなくても良い。第１開閉ダンパ８１によって第１吹出口２１を開閉しても良いし、第２開閉ダンパ８２によって第２流路部４２を開閉しても良い。更に、第１開閉ダンパ８１および第２開閉ダンパ８２は開放度可変としても良い。
【００７９】
（実施例２）
実施例２の空調機能付コンソール装置は、第１流路部と第２流路部との位置関係、および、流入流路部の形状以外は、実施例１の空調機能付コンソール装置と概略同じものである。実施例２の空調機能付コンソール装置を上面視した様子を模式的に表す説明図を図６に示す。実施例２の空調機能付コンソール装置の断面を模式的に表す説明図を図７に示す。
【００８０】
図６に示すように、実施例２の空調機能付コンソール装置１におけるダクト３は、二つの流入流路部３０Ｌ、３０Ｒと、二つの分配流路部４０Ｌ、４０Ｒとを有する。二つの流入流路部３０Ｌ、３０Ｒは、左右方向に配列し、各々独立して車両用空調装置９７に連絡する。左側に位置する流入流路部３０Ｌは、左側分配流路部４０Ｌに連絡し、右側に位置する流入流路部３０Ｒは右側分配流路部４０Ｒに連絡する。図７に示すように、右側分配流路部４０Ｒにおける第１流路部４１Ｒは第２流路部４２Ｒの右側に配置される。左側分配流路部４０Ｌにおける第１流路部４１Ｌは第２流路部４２Ｌの左側に配置される。つまり実施例２の空調機能付コンソール装置１においては、第１流路部４１と第２流路部４２とは左右方向に配列する。
【００８１】
図７に示すように、実施例２の空調機能付コンソール装置１では、第１流路部４１と第２流路部４２とが左右方向に配列することで、筐体２の内部空間２９の下側に比較的大きな空きスペース２８を形成することができる。この空きスペース２８は、各種の車両搭載機器を配設するために利用できる。
【００８２】
本発明は、上記し且つ図面に示した実施形態にのみ限定されるものではなく、要旨を逸脱しない範囲内で適宜変更して実施できる。また、実施形態を含む本明細書に示した各構成要素は、それぞれ任意に抽出し組み合わせて実施できる。
【符号の説明】
【００８３】
２：筐体                  ３：ダクト              ２１：第１吹出口
２２：第２吹出口          ２９：内部空間          ３０：流入流路部
３５：立壁                ４０：分配流路部        ４１：第１流路部
４２：第２流路部          ４１Ｅ：第１分岐端部    ４２Ｅ：第２分岐端部
４３：導入部              ４４：整流部            ４５：出口部
４６：バッファー部        ８１：第１開閉ダンパ    ８２：第２開閉ダンパ
９１：座席（運転席）      ９２：座席（助手席）    ９６：乗員
９７：車両用空調装置
【図１】
2020200007.tif 000003
【図２】
2020200007.tif 000004
【図３】
2020200007.tif 000005
【図４】
2020200007.tif 000006
【図５】
2020200007.tif 000007
【図６】
2020200007.tif 000008
【図７】
2020200007.tif 000009